(57)【特許請求の範囲】
【請求項１】
長尺の基板およびこの基板の一面側に基板の長手方向へ一定の間隔で設けられた発光体を有している発光モジュールと；
この発光モジュールに正対するように配設される枠体と、この枠体に前記基板の長手方向で前記各発光体をそれぞれ挟むように設けられた縦ルーバーとを有してなり、基板の長手方向の最も一端側および他端側に設けられた前記発光体を前記基板の長手方向端部側から挟む縦ルーバーが前記基板との間に隙間を有して前記一端側および他端側に設けられた発光体の放射光を前記基板の長手方向へ導出するように形成され、その他の縦ルーバーが前記発光体から隣の前記発光体側への放射光を遮光するように形成されている遮光部材と；
前記発光モジュールおよび前記遮光部材を長手方向に沿って配設している器具本体と；
を具備していることを特徴とする照明器具。
【請求項２】
前記器具本体の長手方向両端部にそれぞれ透光性の端板部を有し、前記縦ルーバーと前記基板との隙間から導出された放射光が前記端板部を介して前記器具本体の外方へ照射することを特徴とする請求項１記載の照明器具。
【請求項３】
前記発光モジュールは、前記器具本体の長手方向に複数並べて設けられ、各発光モジュールの最端部に設けられた発光体の間であって縦ルーバーに挟まれた領域に前記縦ルーバーと前記基板との隙間から導出された放射光を照射することを特徴とする請求項１または２記載の照明器具。
【請求項４】
前記発光モジュールおよび前記遮光部材は、これらを包囲する透光性の包囲体内に配設されており、前記端板部は、前記包囲体の両端部に設けられていることを特徴とする請求項１ないし３いずれか一記載の照明器具。
【請求項５】
前記発光体は、前記基板の長手方向と直交する方向に複数個のＬＥＤチップが実装されており、前記遮光部材は、前記縦ルーバー間において前記基板の長手方向に前記ＬＥＤチップの間となるように横ルーバーを有しており、前記縦ルーバーは、その前記基板の長手方向の幅が前記横ルーバーの前記基板の長手方向と直交する方向の幅よりも大きく形成されていることを特徴とする請求項１ないし４いずれか一記載の照明器具。
【発明の詳細な説明】
【技術分野】
【０００１】
本発明の実施形態は、発光体の放射光を一般照明に利用し、天井等の造営物に取付けられる照明器具に関する。
【背景技術】
【０００２】
例えば発光ダイオードを光源とするＬＥＤ照明器具は、消費電力が低く、ランプ交換などの保守作業の回数を低減できるなどの理由により、従来の蛍光灯照明器具の代替品として開発が進められ、普及しつつある。ＬＥＤ照明器具は、通常、複数個の発光ダイオードを基板に実装して形成された発光モジュールが筐体（器具本体）に直接または間接的に取り付けられている。
【０００３】
そして、長尺のＬＥＤ照明器具は、所定長の発光モジュールを直線状に複数個並べて形成されている。ここで、発光モジュールの基板をほぼ隙間なく直線状につなぐことにより、つなぎ目での照度の暗部を無くするＬＥＤ照明装置が提案されている（例えば特許文献１参照。）。すなわち、基板のパターン面の端部の上下にランドを設け、２枚の基板の端面同士を接触させて、隣接するランド間に直径を１ｍｍとした銅線を載置して、銅線とランドとをはんだ付けしている。
【０００４】
また、発光ダイオードの放射光の一部を遮るルーバーを備えるとともに、均一なライン照明を実現できる照明器具が提案されている（特許文献２参照。）。この照明器具は、発光ダイオードが器具本体の長手方向に沿って直線状に等間隔に並ぶように、発光ダイオードを設けている複数の光源ブロックが長尺の器具本体に支持されている。
【０００５】
そして、ＬＥＤ照明器具は、天井に連結または隣接するようにして取り付けられることがある。例えば、ＬＥＤ照明ユニットをライン状で連結可能なＬＥＤ照明装置が提案されている（特許文献３参照。）。このＬＥＤ照明装置は、ＬＥＤ照明装置の一端にオスコネクタ、他端にメスコネクタを備え、オスコネクタを連結するＬＥＤ照明ユニットのメスコネクタに差し込むことにより、ＬＥＤ照明ユニットがライン状に並設されている。
【先行技術文献】
【特許文献】
【０００６】
【特許文献１】特開２０１０−１６１０４６号公報（第６頁、第５図）
【特許文献２】特開２０１０−１１８１８７号公報（第５頁、第１図）
【特許文献３】特開２００９−９９３６３号公報（第６−７頁、第５−６図）
【発明の概要】
【発明が解決しようとする課題】
【０００７】
並設される基板間の隙間を無くし、発光ダイオードの配設ピッチが並設される基板を跨いで等間隔となるように設定することにより、照明器具単体においては、器具本体の長手方向で均一な照明が可能である。しかし、複数の照明器具をライン状で連結した場合には、照明器具の間には、器具本体が介在することになるので、照明器具の間に照度の暗部が発生して、ライン状照明の連続性が損なわれるという問題がある。
【０００８】
また、特許文献３のように、器具本体（ＬＥＤ照明ユニット）をオスコネクタおよびメスコネクタにてライン状に連結すると、点灯したときに光らない当該連結部が目立ちやすく、ライン状照明の連続性が損なわれるという欠点を有する。
【０００９】
本発明は、発光体を光源とし、簡易な構成であって、単体および連結体においてライン状での照明が均一化される照明器具を提供することを目的とする。
【課題を解決するための手段】
【００１０】
実施形態の照明器具は、発光モジュール、遮光部材および器具本体を有して構成される。
【００１１】
実施形態の発光モジュールは、長尺の基板と、この基板の一面側に基板の長手方向へ一定の間隔で設けられた発光体とを有している。
【００１２】
実施形態の遮光部材は、発光体から放射された放射光の一部を遮光するものであり、枠体と縦ルーバーを有して形成されている。枠体は、発光モジュールに正対するように器具本体に配設される。
【００１３】
縦ルーバーは、枠体に基板の長手方向で各発光体をそれぞれ挟むように設けられたものである。そして、基板の長手方向の最も一端側および他端側に設けられた発光体を基板の長手方向端部側から挟む縦ルーバーは、基板との間に隙間を有していて、前記一端側および他端側に設けられた発光体の放射光を基板の長手方向へ導出するように形成されている。また、その他の縦ルーバーは、発光体から隣の発光体側への放射光を遮光するように形成されている。
【００１４】
実施形態の器具本体は、発光モジュールおよび遮光部材を長手方向に沿って配設している。
【発明の効果】
【００１５】
本発明によれば、発光モジュールの長手方向の両端側に設けられた発光体から放射された放射光は、縦ルーバーと基板との間の隙間から長手方向に導出するので、発光モジュールの長手方向の両端側端部が照明されることになって、器具本体の長手方向に複数の発光モジュールが連設されても器具本体の長手方向で均一な照明光を得ることが可能であるとともに、複数の照明器具をライン状に配設しても、照明器具に亘って均一なライン照明を得ることが可能である。
【図面の簡単な説明】
【００１６】
【図１】本発明の実施例１を示す照明器具の概略側断面図である。
【図２】同じく、連結した照明器具の一部分解概略斜視図である。
【図３】同じく、光源ユニットの概略側断面図である。
【図４】同じく、光源ユニットの概略正面断面図である。
【図５】同じく、光源ユニットの概略分解斜視図である。
【図６】同じく、遮光部材の概略斜視図である。
【発明を実施するための形態】
【００１７】
以下、本発明の一実施の形態について、図面を参照して説明する。
【実施例１】
【００１８】
本実施形態の照明器具１は、図１ないし図６に示すように構成される。図１において、照明器具１は、発光モジュール２、遮光部材３および器具本体４を有して構成されている。発光モジュール２および遮光部材３は、包囲体５内に配設されており、これらにより光源ユニット６を構成している。照明器具１は、造営物としての図示しない天井に直付けされる直付型照明器具である。
【００１９】
発光モジュール２は、基板７および発光体８を有して形成されている。基板７は、例えば１．２ｍｍの厚さを有するアルミニウム（Ａｌ）板からなり、長尺の長方形に形成されていて、図示しない絶縁層を介して一方の面７ａ側に発光体８を実装している。基板７は、図４に示すように、その長手方向へ一定の間隔Ｌ１で複数個の発光体８を設けている。ここで、基板７の最も一端側７ｃおよび他端側７ｄに設けられている発光体８ａ，８ｂと基板７の長手方向端部（端面）７ｅとの間隔Ｌ２は、前記一定の間隔Ｌ１よりも小さい間隔としており、例えば前記一定の間隔Ｌ１の１／２程度としている。そして、一端側７ｃおよび他端側７ｄ７には、図５に示すように、一対の電極ピン９，９を配設するためのランド１０，１０が設けられている。そして、当該ランド１０，１０に配設した電極ピン９，９と一面７ａ側に形成された図示しない配線パターンとを電気接続するとともに、複数個の発光体８を配線パターンにより直並列接続している。
【００２０】
図４において、発光体８は、図示しないＬＥＤチップおよび封止樹脂１１を有して形成されている。ＬＥＤチップは、基板７の一面７ａ側において、基板７の長手方向と直交する方向すなわち短幅方向に複数個例えば６個が実装されている。複数個のＬＥＤチップは、基板７に形成された配線パターンにより直列接続されている。ＬＥＤチップは、例えば青色光を発光するように形成されている。
【００２１】
そして、封止樹脂１１により、複数個のＬＥＤチップが封止されている。封止樹脂１１は、透光性の樹脂例えばシリコーン樹脂からなり、ＬＥＤチップから放射された青色光の一部を黄色光に波長変換する図示しない黄色蛍光体を含有している。これにより、発光体８は、白色光を放射する。
【００２２】
遮光部材３は、図６に示すように、平面視外形が発光モジュール２と略同等である長尺の略長方体に形成されており、発光モジュール２に正対するように配設される枠体１２、この枠体１２に設けられた縦ルーバー１３および横ルーバー１４を有している。縦ルーバー１３は、枠体１２が発光モジュール２に正対するように配設されたときに、基板７の長手方向で各発光体８を挟むように設けられている。
【００２３】
そして、縦ルーバー１３のうち、基板７の長手方向の最も一端側７ｃおよび他端側７ｄに設けられた発光体８ａ，８ｂ（図５に示す。）を基板７の長手方向端部７ｅ，７ｅ側から挟む縦ルーバー１３ａ，１３ａは、図１に示すように、基板７の一面７ａとの間に隙間１５を有するように形成されている。これにより、縦ルーバー１３ａ，１３ａは、基板７の一端側７ｃおよび他端側７ｄに設けられた発光体８ａ，８ｂのそれぞれの放射光を基板７の互いに反対方向となる長手方向へ導出するように作用する。
【００２４】
また、縦ルーバー１３ａ，１３ａを除く他のルーバー１３は、基板７の一面７ａに近接するように形成されており、発光体８から隣の発光体８側への放射光を遮光するものである。
【００２５】
横ルーバー１４は、縦ルーバー１３，１３間において、枠体１２に基板７の長手方向にかつＬＥＤチップの間となるように形成されている。そして、縦ルーバー１３は、その基板７の長手方向の幅Ｗ１が横ルーバー１４の基板７の長手方向と直交する方向（短幅方向）の幅Ｗ２よりも大きくなるように形成されている。発光体８，８間の一定の間隔Ｌ１は、ＬＥＤチップの実装間隔よりも大きいので、縦ルーバー１３の幅Ｗ１を横ルーバー１４の幅Ｗ２よりも大きくしている。
【００２６】
そして、発光モジュール２および遮光部材３は、図３に示すように、包囲体５に収容されて取り付けられている。包囲体５は、透光性の樹脂例えばアクリル樹脂からなり、押出し成型により形成されている。包囲体５は、後述の器具本体４とほぼ同等の全長を有してなり、本体部１６および固定部１７に構成されている。本体部１６は、平坦状の上面１６ａおよび下方に椀状に突出する下面１６ｂを有する長形の筒状に形成されている。固定部１７は、本体部１６の上面１６ａから上方に突出する天板１８を有する断面略長方形の筒状に形成され、その内部が本体部１６の内部空間に連通している。
【００２７】
そして、固定部１７の内面には、互いに内側に突出して正対する取付部１９，１９が包囲体５の長手方向に亘って形成されている。そして、天板部１８および取付部１９，１９の間に発光モジュール７の基板７の短幅方向の両端部７ｆ，７ｆおよび遮光部材３の枠体１２の耳部１２ａが挿入されている。
【００２８】
発光モジュール２および遮光部材３は、包囲体５の一端側５ａまたは他端側５ｂの開口２０から天板部１８および取付部１９，１９の間に挿入される。ここで、発光モジュール２および遮光部材３は、それぞれ複数個例えば４個が挿入される。発光モジュール２は、基板７の一端側７ｃの端部７ｅが隣の基板７の他端側７ｄの端部７ｅに当接するようにして挿入される。遮光部材３に対しても同様である。
【００２９】
包囲体５の天板部１８の長手方向両端側には、発光モジュール２の電極ピン９，９を挿通する図示しない切り欠きが設けられている。電極ピン９，９を有する発光モジュール２は、前記切り欠きに電極ピン９，９が挿入されるように包囲体５に取り付けられる。
【００３０】
そして、包囲体５は、図５に示すように、その一端側５ａおよび他端側５ｂの開口２０を閉塞する端板部としての端板２１，２１が取り付けられている。端板２１，２１は、透光性の樹脂例えばアクリル樹脂により、前記開口２０を閉塞するように包囲体５の端面形状および大きさに形成されているとともに、前記開口２０に嵌合する図示しない凸部を有している。
【００３１】
このように、包囲体５は、その内部に発光モジュール２および遮光部材３を配設しており、その両端部５ａ，５ｂに端板２１，２１を設けている。発光モジュール２、遮光部材３および包囲体５は、光源ユニット６を構成している。基板７の両端側７ｃ，７ｄに設けられている発光体８ａ，８ｂから放射された放射光は、その一部が遮光部材３の縦ルーバー１３ａ，１３ａと基板７との隙間１５から導出され、透光性の端板２１，２１を介して外方へ照射するものである。そして、光源ユニット６は、器具本体４に取り付けられている。
【００３２】
器具本体４は、例えば厚さ０．８ｍｍの鋼板により形成されている。器具本体４は、長尺であって、図１に示すように、内側に互いに正対するように突出する鍔部４ａ，４ａを有する断面略コ字形に形成されている。そして、包囲体５の固定部１７が挿入され、当該固定部１７をバネ材等の図示しない取付け手段により固定している。すなわち、器具本体４は、発光モジュール２および遮光部材３を長手方向に沿って配設している。また、器具本体４は、その長手方向に、発光モジュール２および遮光部材３を複数並べて設けている。
【００３３】
そして、器具本体４は、図２に示すように、その長手方向の両端側４ａ，４ｂの内側にソケット２２，２２を配設し、その中間側４ｃの内側に電源ユニット２３を配設している。ソケット２２，２２には、器具本体４に光源ユニット６を取り付けるときに、包囲体５から突出する各電極ピン９，９がそれぞれ挿入される。電源ユニット２３は、商用交流電源およびソケット２２，２２に電気接続されており、発光体８のＬＥＤチップに所定の電流を供給するように形成されている。
【００３４】
そして、器具本体４の長手方向の両端部４ａ，４ｂの端面には、端板２４，２４が例えば溶接により取り付けられている。器具本体４は、透光性の端板２１，２１を取り付けている包囲体５が取り付けられていることにより、その長手方向の両端部４ａ，４ｂに透光性の端板部を有している。ここで、端板２４，２４は、透光性の樹脂例えばアクリル樹脂により、包囲体５の端板２１，２１と一体に構成されてもよい。そして、光源ユニット６を器具本体４に取り付けたときに、器具本体４の前記端面を閉塞するようにしてもよい。
【００３５】
そして、照明器具１は、連結体２６により、その複数が例えば天井面にライン状で連設（並設）されている。
【００３６】
次に、本発明の実施例１の作用について述べる。
【００３７】
電源ユニット２３に電源が投入されると、発光体８のＬＥＤチップに所定の電流が流れて、ＬＥＤチップが発光し、発光体８から白色光が放射される。この放射光は、遮光部材３の縦ルーバー１３および横ルーバー１４により、照射角度が制限されて、包囲体５から照射面例えば床面の方向に出射される。前記放射光の照射角度が制限されることにより、照明器具１を見上げたときのグレアが防止される。そして、縦ルーバー１３の幅Ｗ１は、横ルーバーＷ２の幅よりも大きいので、照明器具１をその長手方向側から見上げたときのグレアがより防止される。
【００３８】
そして、遮光部材３の長手方向両端側の縦ルーバー１３ａ，１３ａと発光モジュール２の基板７との間に隙間１５が設けられているので、発光体８の放射光の一部が隙間１５から導出し、基板７の長手方向の一端側７ａおよび他端側７ｂから包囲体５を介して外部に照射される。これにより、発光モジュール２が器具本体４の長手方向に複数並べて設けられても、発光モジュール２，２の接続部分での照度の低下が抑制され、放射光が器具本体４の長手方向の明暗度を低減させるように出射される。
【００３９】
また、隙間１５から導出した発光体８の放射光の一部は、包囲体５の端板２１，２１を介して外部空間に照射される。これにより、複数の照明器具１を直線状に連結しても、照明器具１，１の連結部分での照度の低下が抑制され、放射光がライン状の器具本体４の明暗度を低減させるように出射される。
【００４０】
上述したように、本実施形態によれば、発光モジュール２の長手方向の両端側に設けられた発光体８ａ，８ｂから放射された放射光は、縦ルーバー１３ａ，１３ａと基板７との間の隙間１５から長手方向に導出するので、発光モジュール２の長手方向の両端側端部が照明されることになって、器具本体４の長手方向に複数の発光モジュール２が連設されても器具本体４の長手方向で均一な照明光を得ることができるとともに、複数の照明器具１をライン状に配設しても、複数の照明器具１に亘って均一なライン照明を得ることができるという効果を有する。
【００４１】
そして、発光モジュール２および遮光部材３を透光性の包囲体５内に配設し、包囲体５の長手方向の両端部５ａ，５ｂに透光性の端板２１，２１を取り付ける簡易な構成ことにより、上述の作用、効果を得ることができるので、照明器具１を安価に形成できるという効果を有する。
【００４２】
そして、遮光部材３の縦ルーバー１３の幅Ｗ１は、横ルーバー１４の幅Ｗ２よりも大きく形成されているので、ライン状で照明器具１を見上げたときのグレアを大きく防止できるという効果を有する。
【００４３】
なお、縦ルーバー１３の幅Ｗ１を横ルーバー１４の幅Ｗ２よりも小さくし、発光体８，８間に複数個の縦ルーバー１４を設けるようにしてもよい。
【符号の説明】
【００４４】
１…照明器具、  ２…発光モジュール、  ３…遮光部材、  ４…器具本体、  ５…包囲体、  ７…基板、  ８…発光体、  １２…枠体、  １３…縦ルーバー、  １４…横ルーバー、  １５…隙間、  ２１，２１…端板部としての端板
【図１】
0005510744.tif 000002
【図２】
0005510744.tif 000003
【図３】
0005510744.tif 000004
【図４】
0005510744.tif 000005
【図５】
0005510744.tif 000006
【図６】
0005510744.tif 000007